(57)【要約】【課題】  本発明は、練習者が実戦的な柔道技の練習を行い得るトレーニング装置を提案する。【解決手段】  メインシャフトと、当該メインシャフトを所定の高さで水平に、かつ揺動及び回転自在に保持する保持手段と、メインシャフトの一方側の上側に揺動及び回転自在に取り付けられた操作部と、メインシャフトの上記一方側の下側に取り付けられた脚部とを設けるようにしたことにより、練習者が操作部を揺動させ、脚部を刈る、払う又は跳ね上げる動作に合わせて、操作部及び又は脚部を変位させることにより、相手がいなくても柔道技の練習を行うことができ、かくして実戦的な柔道技の練習を行い得るトレーニング装置を実現できる。【選択図】        図３
2006026153.tif 000002
【特許請求の範囲】
【請求項１】
メインシャフトと、
上記メインシャフトを所定の高さで水平に、かつ揺動及び回転自在に保持する保持手段と、
上記メインシャフトの一方側の上側に揺動及び回転自在に取り付けられた操作部と、
上記メインシャフトの上記一方側の下側に取り付けられた脚部と
を具えることを特徴とするトレーニング装置。
【請求項２】
上記保持手段は、
上記メインシャフトを揺動及び回転自在に保持する軸受けと、
上記メインシャフトを離反自在に支持するＶ字状の支持部と
を具えることを特徴とする請求項１に記載のトレーニング装置。
【請求項３】
上記メインシャフトに対して、練習者が上記メインシャフトを揺動及び又は回転させた方向と逆方向への負荷を与える負荷手段
を具えることを特徴とする請求項１に記載のトレーニング装置。
【発明の詳細な説明】
【技術分野】
【０００１】
本発明は、トレーニング装置に関し、例えば柔道の投げ技及び足技の練習に用いるトレーニング装置に適用して好適なものである。
【背景技術】
【０００２】
従来、柔道における投げ技及び足技等の柔道技の練習は、例えば相手との組み手により行われるのが一般的となっている。
【発明の開示】
【発明が解決しようとする課題】
【０００３】
ところで、相手との組み手は、自己の身長及び体重に見合った相手がいる場合には、実戦的かつ効果的な柔道技の練習を行うことができるが、組み手を行う相手がいない場合や自己の身長及び体重に見合った相手がいない場合には、実戦的かつ効果的な柔道技の練習を行うことができないという問題がある。
【０００４】
このとき、組み手を行う相手の代わりに、柔道技の練習を行うことができるようなトレーニング装置があれば、かかる場合にも実戦的かつ効果的な柔道技の練習を行うことができるものと考えられる
【０００５】
本発明は以上の点を考慮してなされたもので、実戦的な柔道技の練習を行い得るトレーニング装置を提案するものである。
【課題を解決するための手段】
【０００６】
かかる課題を解決するために本発明においては、メインシャフトと、当該メインシャフトを所定の高さで水平に、かつ揺動及び回転自在に保持する保持手段と、メインシャフトの一方側の上側に揺動及び回転自在に取り付けられた操作部と、メインシャフトの上記一方側の下側に取り付けられた脚部とを設けるようにした。
【０００７】
従って、練習者が操作部を揺動させ、脚部を刈る、払う又は跳ね上げる動作に合わせて、操作部及び又は脚部を変位させることにより、相手がいなくても柔道技の練習を行うことができる。
【発明の効果】
【０００８】
本発明によれば、メインシャフトと、当該メインシャフトを所定の高さで水平に、かつ揺動及び回転自在に保持する保持手段と、メインシャフトの一方側の上側に揺動及び回転自在に取り付けられた操作部と、メインシャフトの上記一方側の下側に取り付けられた脚部とを設けるようにしたことにより、練習者が操作部を揺動させ、脚部を刈る、払う又は跳ね上げる動作に合わせて、操作部及び又は脚部を変位させることにより、相手がいなくても柔道技の練習を行うことができ、かくして実戦的な柔道技の練習を行い得るトレーニング装置を実現できる。
【発明を実施するための最良の形態】
【０００９】
以下図面について、本発明の一実施の形態を詳述する。
【００１０】
（１）本実施の形態によるトレーニング装置の構成
図１及び図２において、１は全体として本実施の形態によるトレーニング装置を示し、例えば大外刈り等の柔道技の練習を行い得るようになされている。
【００１１】
すなわちトレーニング装置１においては、直方体上に形成された複数の基台支持枠からなる基台２の所定の高さに、当該基台２を補強する基台補強支持枠３が配設されている。
【００１２】
この基台補強支持枠３のうち矢印ｘ方向に対向する一方の補強支持枠３Ａの中央には、第１の軸受け４を介して例えば鉄等の金属材からなる所定の長さ及び直径のメインシャフト５が揺動及び回転自在に保持されている。
【００１３】
またメインシャフト５の一方側には、その上側に例えば鉄等の金属材からなる長方形形状のベース板６が、第１及び第２のベース板支持部６Ａ、６Ｂを介して固定されており、このベース板６の上側に相手の上半身に見立てた操作部７が配設されている。
【００１４】
この操作部７は、ベース板６の所定の位置に第２の軸受け８を介して揺動及び回転自在に取り付けられた所定の長さ及び直径の第１のシャフト９と、当該第１のシャフト９に矢印ｚ方向に一定間隔で穿設された取り付け穴１０に、例えば取り付けネジ等により取り付け位置が調整自在に、かつ当該第１のシャフト９に対して垂直方向に両側に突出するように取り付けられた取っ手１１とから構成されている。
【００１５】
これによりトレーニング装置１においては、練習者が相手の柔道着の襟部に見立てた取っ手１１を握って操作部７を揺動及び回転させることにより、柔道技における上半身のくずし等の技の練習を行うことができるようになされている。
【００１６】
一方、ベース板６の下側には、相手の下肢に見立てた第１の脚部１２及び第２の脚部１３が配設されている。この第１の脚部１２は、ベース板６に一体に取り付けられた脚取り付け部１４を介して上端側を例えば取り付けネジ等で矢印ｘ方向にその位置を調節することが可能に取り付けられた第１のリンク１５と、当該第１のリンク１５の下端側に第３の軸受け１６によって矢印ｘ方向又は矢印ｘ方向と逆方向にのみ揺動自在に取り付けられた第２のリンク１７とから構成されており、柔道技を行なうに際し適した下肢の形状に第１の脚部１２を調節することができるようになされている。なお第２の脚部１３は、メインシャフト５の所定の位置に固定されている。
【００１７】
このときメインシャフト５には、当該メインシャフト５の直径よりも僅かに大きい円柱形状のメインシャフト支持部１８が配設されており、このメインシャフト支持部１８及び第１の軸受け４によりメインシャフト５が回転自在に、かつ地面と平行に保持されている。
【００１８】
これによりこのトレーニング装置１においては、図３に示すように、練習者１９が上半身のくずし等を行った後に第１の脚部１２を刈ることにより、例えば柔道技の大外刈りの練習を行うことができるようになされている。このとき、練習者１９が第１の脚部１２を刈る動作に合わせてメインシャフト５を矢印ａ方向に回転させることにより、当該メインシャフト５と一体に第１の脚部１２を矢印ａ方向に変位させることができるようになされている。また、第１の脚部１２と連動して操作部７が変位することにより、第１の脚部１２に合わせて上半身がくずれるようになされている。
【００１９】
また、このトレーニング装置１においては、図４に示すように、練習者１９が上半身のくずし等を行った後に第１の脚部１２を払うことにより、例えば柔道技の払い腰の練習を行うことができ、このとき練習者１９が第１の脚部１２を払う動作に合わせてメインシャフト５を矢印ａ方向と逆方向に回転させることにより、当該メインシャフト５と一体に第１の脚部１２を矢印ａ方向と逆方向に変位させることができるようになされている。
【００２０】
また、基台補強支持枠３のうち矢印ｘ方向に対向する他方の補強支持枠３Ｂには、かかる補強支持枠３Ｂから上側の基台支持枠にいくに従って当該補強支持枠３Ｂの中央から離れるようにＶ字型に形成されたＶ字支持枠２０が配設されており、このＶ字支持枠２０によりメインシャフト５が当該補強支持枠３Ｂの中央において矢印ｘ方向と平行に、かつＶ字支持枠２０から離反自在に保持されている。
【００２１】
これによりこのトレーニング装置１においては、図５に示すように、練習者１９が上半身のくずし等を行った後に第１の脚部１２を跳ね上げることにより、例えば柔道技の内股の練習を行うことができるようになされている。
【００２２】
このとき、練習者１９が第１の脚部１２を跳ね上げる動作に合わせてメインシャフト５を矢印ａ方向に回転させると共に、第１の軸受け４を支点として例えば矢印ｂ方向に揺動させることにより、当該メインシャフト５と一体に第１の脚部１２を矢印ａ方向及び矢印ｂ方向に変位させることができるようになされている。
【００２３】
また、このトレーニング装置１においては、練習者１９が第１の脚部１２を跳ね上げてＶ字支持枠２０からメインシャフト５が離反した後にも、Ｖ字支持枠２０に接触したときにＶ字支持枠２０がメインシャフト５をガイドするようにして容易に補強支持枠３Ｂの中央に戻すことができるようになされている。
【００２４】
なお、このトレーニング装置１においては、Ｖ字支持枠２０上に所定の厚さのゴム２１が敷き詰められており、これにより練習者１９が第１の脚部１２を跳ね上げてＶ字支持枠２０からメインシャフト５が離反した後、かかるメインシャフト５がＶ字支持枠２０に接触したときに起こる金属音を軽減することができるようになされている。
【００２５】
一方、図１及び図２からも明らかなようにメインシャフト５の他方側には、その下側に当該メインシャフト５と一体に第２のシャフト２２が配設されており、その下端側に取り付けられたおもり受け２３に複数の所定の重さのおもり２４が懸けられている。
【００２６】
これにより、練習者１９が第１の脚部１２を変位させ（図３〜図５）、メインシャフト５を回転及び又は揺動させたときに、これと逆方向へ回転又は揺動させる力をメインシャフト５に与えることにより、第１の脚部１２を元の位置に戻すような力を発生させて、練習者１９が第１の脚部１２を変位させた方向と逆方向への負荷を与えることができ、かくして練習者１９がより実戦的な柔道技の練習を行うことができるようになされている。また、これにより練習者１９が柔道技を行う際に必要な下肢の筋力等を強化することができるようになされている。さらに、おもり２４が容易に着脱可能なことから、練習者１９によって与える負荷を容易に調節することができるようになされている。
【００２７】
さらに、このトレーニング装置１においては、練習者１９が第１の脚部１２を跳ね上げて、第１の脚部１２を例えば矢印ｂ方向に変位させる際、メインシャフト５、ベース板６、操作部７及び第１の脚部１２がそれぞれ鉄等の金属材で構成されているので、練習者１９がメインシャフト５を例えば矢印ｂ方向に揺動させるにつれて、その自重により練習者１９に重力方向への負荷を与えることができ、かくして練習者１９がより実戦的な柔道技の練習を行うことができ、またその柔道技を行う際に必要な下肢の筋力等を強化させることができるようになされている。
【００２８】
またメインシャフト５の他方側には、その上側に当該メインシャフト５と一体にほぼＬ字状に形成された固定シャフト（以下、Ｌ字固定シャフトと呼ぶ）２５が配設されており、当該Ｌ字固定シャフト２５の先端及び操作部７の先端を連結するように所定長さのばね２６が当該操作部７を常にＬ字固定シャフト２５の先端側に付勢させるように配設されている。
【００２９】
これによりこのトレーニング装置１においては、練習者１９が柔道技における上半身のくずし等を行い、操作部７を揺動させる際に、ばね２６の弾性力によって操作部７を元の位置に戻す付勢力を発生させることにより、練習者１９が取っ手１１を握って操作部７を揺動させるにつれて、練習者１９に常にＬ字固定シャフト２５の先端側への負荷を与えることができ、かくして練習者１９がより実戦的な柔道技の練習を行うことができるようになされている。また、これにより練習者１９が柔道技を行う際に必要な上半身の筋力等を強化することができるようになされている。
【００３０】
なお、第１の軸受け４においては、図６に示すように、例えば軸受け枠４Ａにほぼ球状の軸穴４Ｂが穿設されると共に、メインシャフト５の所定の位置に軸穴４Ｂよりも僅かに小さい球形状のボール軸４Ｃが固着されている。
【００３１】
そして、このボール軸４Ｃを軸穴４Ｂに嵌め込むように挿入し、その両側からボール軸４Ｂの直径よりも僅かに小さくその内側面がボール軸４Ｃの球面に沿うように形成されるボール軸保持穴４Ｄ１、４Ｄ２が穿設された円盤形状の止め金４Ｅ１、４Ｅ２を例えば取り付けネジ等により軸受け枠４Ａに取り付けることにより、メインシャフト５を当該第１の軸受け４を支点として揺動及び回転自在に保持することができるようになされている。
【００３２】
（２）本実施の形態による動作及び効果
以上の構成において、このトレーニング装置１では、練習者１９が相手の柔道着の襟部に見立てた取っ手１１を握って操作部７を揺動及び回転させ、柔道技における上半身のくずし等を行った後に相手の下肢に見立てた第１の脚部を刈る、払う又は跳ね上げる。
【００３３】
このとき、このトレーニング装置１では、練習者１９が操作部７を揺動させ、第１の脚部１２を刈る、払う又は跳ね上げる動作に合わせて操作部７及び又は第１の脚部１２を変位させることにより、相手がいなくても練習者が大外刈り、払い腰又は内股等の柔道技の練習を行うことができる。
【００３４】
以上の構成によれば、練習者１９が相手の柔道着の襟部に見立てた取っ手１１を握って操作部７を揺動及び回転させ、柔道技における上半身のくずし等を行った後に相手の下肢に見立てた第１の脚部１２を刈る、払う又は跳ね上げることにより、練習者１９が操作部７を揺動させ、第１の脚部１２を刈る、払う又は跳ね上げる動作に合わせて操作部７及び又は第１の脚部１２を変位させることにより、相手がいなくても練習者が大外刈り、払い腰又は内股等の柔道技の練習を行うことができ、かくして実戦的な柔道技の練習を行うことができる。
【００３５】
（３）他の実施の形態
なお上述の実施の形態においては、Ｌ字固定シャフト２５の先端及び操作部７の先端を連結するように所定長さのばね２６が当該操作部７を常にＬ字固定シャフト２５の先端側に付勢させるように配設した場合について述べたが、本発明はこれに限らず、例えば操作部７の先端を天井と連結するようにばね２６を配設するようにしても良く、要は練習者が操作部７を動作させたときに、当該練習者１９に負荷を与えるようにすれば良い。
【００３６】
また上述の実施の形態においては、ベース板６の上側に相手の上半身に見立てた操作部７を配設し、ベース板６の下側には、相手の下肢に見立てた第１の脚部１２が配設した場合について述べたが、本発明はこれに限らず、メインシャフト５にそれぞれ配設するようにしても良い。
【００３７】
さらに上述の実施の形態においては、メインシャフト５等を例えば鉄等からなる金属材で所定の長さ及び直径で形成した場合について述べたが、本発明はこれに限らず、例えば金属材に代えて合成ゴム等の比較的軟らかい材料にするようにしても良く、この他種々の材料に適用することができる。
【００３８】
さらに上述の実施の形態においては、メインシャフト５等を例えば鉄等からなる金属材で所定の長さ及び直径で形成した場合について述べたが、本発明はこれに限らず、例えばこれらの金属材を覆い隠すように綿又はゴム等でなるプロテクタ材により肉付けするようにしても良い。
【００３９】
さらに上述の実施の形態においては、練習者１９が相手の柔道着の襟部に見立てた取っ手１１を握って操作部７を揺動させることにより、柔道技における上半身のくずし等の練習を行った場合について述べたが、本発明はこれに限らず、実際に操作部７が柔道着を着衣するようにしても良い。
【００４０】
さらに上述の実施の形態においては、直方体上に形成された複数の基台支持枠からなる基台２の所定の高さに当該基台２を補強するように支持する基台補強支持枠３を配設し、これに基づいてメインシャフト５を配設した場合について述べたが、本発明はこれに限らず、例えばこの基台補強支持枠３をスライド自在に移動させ固定させる等によりメインシャフト５の高さを任意の高さに設定し得るようにトレーニング装置を構築するようにしても良い。
【００４１】
さらに、このようなトレーニング装置１においてパーソナルコンピュータ等を適用し、練習者の身長、体重及び又は相手の身長、体重等を当該パーソナルコンピュータに設定することにより、これに基づいてメインシャフト５の高さや練習者にかける負荷の大きさ等を自動調節し得るようにトレーニング装置を構築するようにしても良い。
【００４２】
さらに上述の実施の形態においては、脚取り付け部１４をその一端側にベース板６と一体に取り付けることにより設けた場合について述べたが、本発明はこれに限らず、ベース板６に対して回転自在に取り付けて任意の位置において固定させるようにしても良く、これにより第１の脚部１２を種々の方向に回転させて固定させることで、練習者が種々の立ち位置において実際の脚の位置に即した実戦的な柔道技の練習を行うことができる。
【００４３】
さらに上述の実施の形態においては、第１の軸受け４を上述のような構成の軸受けにした場合について述べたが、本発明はこれに限らず、例えばユニバーサルジョイントのような構成にするようにしても良く、要はメインシャフト５を揺動及び回転自在に保持させる種々の構造を適用することができる。また、第２の軸受け８及び第３の軸受け１６についても同様に第１のシャフト１１及び第２のリンク１７を揺動自在に保持させる種々の構造を適用することができる。
【００４４】
さらに上述の実施の形態においては、メインシャフト５の他端側と一体に第２のシャフト２２におもり２４が懸けられることにより、第１の脚部１２を変位させたときに、これと逆方向への負荷を与える場合について述べたが、本発明はこれに限らず、おもり２４以外の種々の負荷手段により練習者１９に負荷を与えることができる。
【００４５】
さらに上述の実施の形態においては、操作部７をベース板６の所定の位置に第２の軸受け８を介して揺動及び回転自在に取り付けた場合について述べたが、本発明はこれに限らず、例えば操作部７を固定し、第１の脚部１２のみを変位させることにより下肢の筋力のみを強化させることができ、またリハビリ等にも適用することができる。
【００４６】
さらに上述の実施の形態においては、本発明を柔道技の練習に適用した場合について述べたが、本発明はこれに限らず、例えばゲーム装置等に適用することができる。
【００４７】
例えば、予めゲーム使用者が自己の身長、体重及び又は相手の強さ等を設定し、ゲーム使用者が第１の脚部１２を刈る、払う又は跳ね上げることにより第１の脚部１２を矢印ａ方向、矢印ａ方向と逆方向又は矢印ｂ方向に変位させたときに、このときの変位の勢いや変位の速さや変位にかかる力等を所定の測定器等において測定し、これをパーソナルコンピュータ等において解析し、これらを柔道技の強さとして数値化して表示させることにより、柔道技の強さをゲームとして競い合うことができる。
【産業上の利用可能性】
【００４８】
本発明は、柔道技の実戦的な練習を行うトレーニング装置の他、柔道技をかけたときの強さなどを数値化して表示させることによりゲーム装置等にも応用することができる。
【図面の簡単な説明】
【００４９】
【図１】本実施の形態によるトレーニング装置の構成を示す略線図である。
【図２】本実施の形態によるトレーニング装置の構成を示す略線図である。
【図３】柔道技練習時の動作の説明に供する略線図である。
【図４】柔道技練習時の動作の説明に供する略線図である。
【図５】柔道技練習時の動作の説明に供する略線図である。
【図６】第１の軸受けの構成を示す略線図である。
【符号の説明】
【００５０】
１……トレーニング装置、２……基台、３……補強支持枠、４……第１の軸受け、５……メインシャフト、７……操作部、８……第２の軸受け、１２……第１の脚部、１９……練習者、２０……Ｖ字支持枠、２４……おもり、２６……ばね。
【図１】
2006026153.tif 000003
【図２】
2006026153.tif 000004
【図３】
2006026153.tif 000005
【図４】
2006026153.tif 000006
【図５】
2006026153.tif 000007
【図６】
2006026153.tif 000008